(57)【要約】【課題】回転指針の注視性を向上させた車両用表示装置の提供。【解決手段】指標１２４ａ，１２５ａを円周方向に複数並べて形成する指標画像１２２ａと、指標画像１２２ａの背景を形成する背景画像１２３ａとを表示する表示パネルと、表示パネルの前方にて円周方向に回転可能に且つ指標１２４ａ，１２５ａを指示可能に配置され、内蔵している指針光源部の点灯により発光する回転指針１４１と、回転指針１４１を回転駆動する駆動ユニットと、表示パネルにおける指標画像１２２ａ及び背景画像１２３ａの表示状態と、指針光源部による回転指針１４１の発光状態と、駆動ユニットによる回転指針１４１の回転駆動状態とを、制御する制御ユニットであって、回転指針１４１の発光色と組み合わせる背景画像１２３ａの表示色を、回転指針１４１の回転位置に応じて可変制御する制御ユニットとを、設ける。【選択図】図３
2018009900.tif 000002
【特許請求の範囲】
【請求項１】
車両に搭載される車両用表示装置（１００）であって、
表示指標（１２４ａ，１２４ｂ，１２５ａ，１２５ｂ）を円周方向に複数並べて形成する指標画像（１２２ａ，１２２ｂ）と、前記指標画像の背景を形成する背景画像（１２３ａ，１２３ｂ，２１２３ａ，３１２３ａ）とを、前方から視認可能に表示する表示パネル（１２０）と、
前記表示パネルの前方にて前記円周方向に回転可能に且つ前記表示指標を指示可能に配置されており、内蔵している指針光源部（１４３）の点灯により前方から視認可能に発光する回転指針（１４１）と、
前記回転指針を回転駆動する駆動ユニット（１５０）と、
前記表示パネルにおける前記指標画像及び前記背景画像の表示状態と、前記指針光源部による前記回転指針の発光状態と、前記駆動ユニットによる前記回転指針の回転駆動状態とを、制御する制御ユニット（１７０）であって、前記回転指針の発光色と組み合わせる前記背景画像の表示色を、前記回転指針の回転位置に応じて可変制御する制御ユニットとを、備える車両用表示装置。
【請求項２】
前記制御ユニットは、前記背景画像（１２３ａ）において透明又は半透明な前記回転指針の背後に重畳する重畳部分（１２３ｓ）の表示色を、前記重畳部分以外の表示色とは異ならせる請求項１に記載の車両用表示装置。
【請求項３】
前記制御ユニットは、前記背景画像（２１２３ａ）において前記回転指針の背後に重畳する重畳部分（１２３ｓ）に対し前記円周方向に隣接する隣接部分（２１２３ｃ）の表示色を、それら重畳部分及び隣接部分を除く部分の表示色とは異ならせる請求項１又は２に記載の車両用表示装置。
【請求項４】
前記回転指針は、前記背景画像（３１２３ａ）において前記回転指針の背後に重畳する重畳部分（３１２３ｓ）を、前記指針光源部からの光により照明する請求項１〜３のいずれか一項に記載の車両用表示装置。
【請求項５】
前記回転指針は、前記指針光源部から前方の複数の凹凸を通して光を透過させる指針透過部（１４４）を、有する請求項１〜４のいずれか一項に記載の車両用表示装置。
【請求項６】
前記回転指針を含んで構成される指針ユニット（１４０）を、さらに備え、
前記指針ユニットは、
前記円周方向に回転可能に配置されており、前記指針光源部を点灯させるための導通ターミナル（１４５）が設けられて前記回転指針を支持している可動歯車（１４２）を、含み、
前記駆動ユニットは、
前記表示パネルに対し位置固定されて前記制御ユニットと導通しており、前記導通ターミナルと摺接により導通する固定接触子（１５５）と、
前記制御ユニットと導通しており、前記可動歯車と連繋した駆動歯車（１５８，１５９）を自転させることにより、前記回転指針を前記可動歯車と一体に回転駆動するアクチュエータ（１５６）とを、含む請求項１〜５のいずれか一項に記載の車両用表示装置。
【発明の詳細な説明】
【技術分野】
【０００１】
本発明は、車両に搭載される車両用表示装置に、関する。
【背景技術】
【０００２】
一般に車両用表示装置では、表示パネルの前方にて円周方向に回転可能に配置された回転指針が、駆動ユニットにより回転駆動される。その結果、表示パネルの円周方向に複数並べて形成されて前方から視認可能に表示されている表示指標のうちいずれかを、回転指針が回転位置に応じて指示することとなる。
【０００３】
こうした車両用表示装置の一種として特許文献１に開示のものでは、回転指針に内蔵された指針光源部の点灯により、回転指針が前方から視認可能に発光する。これによれば、発光した回転指針において点灯状態の指針光源部から前方の視認者へ届くまでに光が減衰され難くなるので、回転指針に対する注視性を向上させることが可能となっている。
【先行技術文献】
【特許文献】
【０００４】
【特許文献１】特許第４２５９２５０号公報
【発明の概要】
【発明が解決しようとする課題】
【０００５】
しかし、特許文献１に開示の車両用表示装置では、表示パネルにおける表示指標の背景色が印刷等により不変となっている。そのため、回転指針に対する注視性は、指針光源部の点灯状態に依拠したものに限られてしまう。
【０００６】
本発明は、以上説明した問題に鑑みてなされたものであって、その目的は、回転指針の注視性を向上させた車両用表示装置を、提供することにある。
【課題を解決するための手段】
【０００７】
以下、課題を達成するための発明の技術的手段について、説明する。尚、発明の技術的手段を開示する特許請求の範囲及び本欄に記載された括弧内の符号は、後に詳述する実施形態に記載された具体的手段との対応関係を示すものであり、発明の技術的範囲を限定するものではない。
【０００８】
上述の課題を解決するために開示された発明は、
車両に搭載される車両用表示装置（１００）であって、
表示指標（１２４ａ，１２４ｂ，１２５ａ，１２５ｂ）を円周方向に複数並べて形成する指標画像（１２２ａ，１２２ｂ）と、指標画像の背景を形成する背景画像（１２３ａ，１２３ｂ，２１２３ａ，３１２３ａ）とを、前方から視認可能に表示する表示パネル（１２０）と、
表示パネルの前方にて円周方向に回転可能に且つ表示指標を指示可能に配置されており、内蔵している指針光源部（１４３）の点灯により前方から視認可能に発光する回転指針（１４１）と、
回転指針を回転駆動する駆動ユニット（１５０）と、
表示パネルにおける指標画像及び背景画像の表示状態と、指針光源部による回転指針の発光状態と、駆動ユニットによる回転指針の回転駆動状態とを、制御する制御ユニット（１７０）であって、回転指針の発光色と組み合わせる背景画像の表示色を、回転指針の回転位置に応じて可変制御する制御ユニットとを、備える。
【０００９】
このような開示発明によると、表示パネルにおける指標画像及び背景画像の表示状態と、指針光源部による回転指針の発光状態と、駆動ユニットによる回転指針の回転駆動状態とが、制御ユニットにより制御される。このとき特に、回転指針の発光色と組み合わされる背景画像の表示色は、回転指針の回転位置に応じて可変制御される。これによれば、背景画像の表示色と回転指針の発光色との組み合わせ状態は、回転指針の回転位置に応じて変化し得る。故に、回転指針に対する注視性につき、指針光源部の点灯状態だけでなく、そうした組み合わせ状態に依拠して向上させることができる。
【図面の簡単な説明】
【００１０】
【図１】第一実施形態の車両用表示装置を示す斜視図である。
【図２】図１のII−II線断面図である。
【図３】図１における車両用表示装置の一部を拡大して示す正面図である。
【図４】図２における指針ユニット及び駆動ユニットのそれぞれ一部を拡大して示す断面図である。
【図５】図２の駆動ユニットを示す正面図である。
【図６】図４の回転指針の一部を示す正面図である。
【図７】図６のVII−VII線断面図である。
【図８】図１における表示パネルの一部を拡大して示す正面図である。
【図９】第二実施形態における表示パネルの一部を拡大して示す正面図である。
【図１０】第二実施形態における車両用表示装置の一部を拡大して示す正面図である。
【図１１】第三実施形態における表示パネルの一部を拡大して示す正面図である。
【図１２】第三実施形態における車両用表示装置の一部を拡大して示す正面図である。
【発明を実施するための形態】
【００１１】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合わせることができる。
【００１２】
（第一実施形態）
図１に示すように、本発明の第一実施形態による車両用表示装置１００は、車両に搭載される。車両用表示装置１００は、車両内の座席に着座した乗員である視認者に対し、表示を行うコンビネーションメータである。かかる表示のために車両用表示装置１００は、車両内のインストルメントパネルに設置される。ここで、車両用表示装置１００における「前方」とは、車両内の視認者に表示を行う方向、即ち視認者による視認側を示す。
【００１３】
図１，２に示すように車両用表示装置１００は、表示ケース１１０、表示パネル１２０、指針ユニット１４０、駆動ユニット１５０及び制御ユニット１７０を備えている。表示ケース１１０は、複数の樹脂部材から中空箱状に構成されている。表示ケース１１０は、インストルメントパネルへの設置下にて前方に向かって開口する表示窓１１１を、形成している。
【００１４】
表示パネル１２０は、例えば液晶パネル又は有機ＥＬパネル等であり、全体として略矩形の板状に形成されている。表示パネル１２０は、表示ケース１１０内に収容され、同ケース１１０により保持されている。表示パネル１２０は、表示窓１１１を通して前方に露出する画面１２１を、有している。図１に示すように表示パネル１２０は、指標画像１２２ａ，１２２ｂ及び背景画像１２３ａ，１２３ｂ等の各種カラー画像を、前方の視認者から視認可能に画面１２１に表示する。このとき、指標画像１２２ａ，１２２ｂ及び背景画像１２３ａ，１２３ｂの表示状態にて画面１２１は、表示パネル１２０に内蔵のバックライトにより透過照明される。
【００１５】
図１，３に示すように指標画像１２２ａ，１２２ｂは、車両に関連する表示指標としてそれぞれ、数字指標１２４ａ，１２４ｂ及び目盛指標１２５ａ，１２５ｂを形成する。ここで本実施形態では、画面１２１のうち横方向の片側に設定される円形表示部１２１ａにて、車両の車速情報を報知するための指標画像１２２ａが表示される。かかる指標画像１２２ａは、車速情報に対応した数字指標１２４ａ及び目盛指標１２５ａを、同表示部１２１ａの外周縁に沿った円周方向にそれぞれ複数ずつ並べて形成する。一方、画面１２１のうち横方向の別側に設定される円形表示部１２１ｂには、車両のエンジン回転数情報を報知するための指標画像１２２ｂが表示される。かかる指標画像１２２ｂは、エンジン回転数情報に対応した数字指標１２４ｂ及び目盛指標１２５ｂを、同表示部１２１ｂの外周縁に沿った円周方向にそれぞれ複数ずつ並べて形成する。
【００１６】
各円形表示部１２１ａ，１２１ｂにて背景画像１２３ａ，１２３ｂは、それぞれ対応する指標画像１２２ａ，１２２ｂの背景を、形成する。特に本実施形態の各円形表示部１２１ａ，１２１ｂでは、後に詳述する回転指針１４１に対しての注視性を向上させるために、背景画像１２３ａ，１２３ｂの表示色が可変制御されるようになっている。
【００１７】
図１，２に示す指針ユニット１４０及び駆動ユニット１５０は、各円形表示部１２１ａ，１２１ｂにそれぞれ対応して一つずつ、且つ互いに実質同一構成をもって設けられている。また、こうした各円形表示部１２１ａ，１２１ｂの指針ユニット１４０及び駆動ユニット１５０に共通して、制御ユニット１７０が設けられている。そこで以下では、指針ユニット１４０及び駆動ユニット１５０について、円形表示部１２１ａ側のものを代表して説明する。それと共に以下では、制御ユニット１７０について、円形表示部１２１ａ側における指針ユニット１４０及び駆動ユニット１５０との関係性を代表して説明する。
【００１８】
図１〜５に示すように指針ユニット１４０は、回転指針１４１及び可動歯車１４２を含んで構成されている。回転指針１４１は、全体として透明又は着色により半透明（以下、単に「透明又は半透明」という）な細長板状に形成されている。回転指針１４１は、表示ケース１１０内のうち表示パネル１２０の前方に収容されている。図１〜３に示すように回転指針１４１は、円形表示部１２１ａの径方向に沿って延伸した状態を維持しつつ、同表示部１２１ａの円周方向に回転可能に配置されている。回転指針１４１は、車両の車速情報を表示するために、自身の回転位置に応じた指標画像１２２ａの形成指標１２４ａ，１２５ａを指示可能となっている。
【００１９】
図４〜７に示すように回転指針１４１には、複数の指針光源部１４３が内蔵されている。各指針光源部１４３は、回転指針１４１の長手方向（即ち、円形表示部１２１ａの径方向）において等間隔に並んでいる。各指針光源部１４３は、視認者により前方から視認困難なサイズ（例えば直径１００μｍ程度）に、形成されている。但し、図４〜７では、説明の理解を容易にするために、各指針光源部１４３が実際よりも模式的に大きく描かれている。
【００２０】
各指針光源部１４３は、本実施形態では赤色、緑色及び青色である三色のＬＥＤ光源から、それぞれ構成されている。各指針光源部１４３は、三色のＬＥＤ光源のうち少なくとも一つが通電されるのに応じて点灯することで、回転指針１４１における自身の内蔵箇所を前方の視認者から視認可能に発光させる。ここで、図４，６，７に示すように本実施形態の各指針光源部１４３は、透明又は半透明な透光性樹脂基板１４６に対し後方に積層された透明又は半透明な透光性樹脂フィルム１４７，１４９の間に、図示しない透明又は半透明な透光性電極と共に埋設されている。これにより、各指針光源部１４３からの光の減衰を抑制して、発光強度を高めることが可能となっている。また、このような発光に対して各指針光源部１４３は、三色のＬＥＤ光源全てへの通電が停止するのに応じて消灯することで、回転指針１４１における自身の内蔵箇所での発光を止める。
【００２１】
図２，４に示すように回転指針１４１には、各指針光源部１４３を前方から覆う指針透過部１４４が、設けられている。指針透過部１４４は、透明又は半透明な透光性樹脂により細長ブロック状に形成されている。指針透過部１４４は、円形表示部１２１ａの前方を全ての指針光源部１４３と一体に回転可能に、配置されている。指針透過部１４４の前面又は背面には、複数の微小（例えば高低差３００μｍ程度）な凹凸が光を拡散可能に設けられている。指針透過部１４４は、点灯した各指針光源部１４３からの光を、複数の凹凸を通して透過且つ拡散させることで、回転指針１４１における発光バラツキの抑制を可能にしている。
【００２２】
図２，４，５に示すように可動歯車１４２は、金属により円環板状に形成されている。可動歯車１４２は、表示ケース１１０内のうち表示パネル１２０の前方に収容されている。可動歯車１４２は、円形表示部１２１ａを前方の視認者から視認可能に、内周側に露出させている。可動歯車１４２は、かかる露出状態を維持しつつ、円形表示部１２１ａの円周方向に回転可能に配置されている。図４，５に示すように可動歯車１４２は、歯底円の外周側に歯先円を有する外歯車部１４８を、形成している。それと共に可動歯車１４２は、前方に向かって開口する円環溝状のガイドレール１４２ａを、前方を向く前面１４２ｂに形成している。さらに可動歯車１４２は、円周方向の一部に回転指針１４１を支持していることで、当該指針１４１と一体に回転可能となっている。
【００２３】
図２，４に示すように可動歯車１４２には、回転指針１４１を介して一体に回転可能に、金属製の導通ターミナル１４５が複数設けられている。図４，６，７に示すように各導通ターミナル１４５は、回転指針１４１の背後へと細長板状に突出している。各導通ターミナル１４５は、回転指針１４１における上述の透光性電極を介して、それぞれ対応した指針光源部１４３と電気接続により導通している。
【００２４】
具体的に第一導通ターミナル１４５ａは、各指針光源部１４３における赤色ＬＥＤ光源のマイナス端子と導通している。第二導通ターミナル１４５ｂは、各指針光源部１４３における緑色ＬＥＤ光源のマイナス端子と導通している。第三導通ターミナル１４５ｃは、各指針光源部１４３における青ＬＥＤ光源のマイナス端子と導通している。第四導通ターミナル１４５ｄは、各指針光源部１４３における三色全てのＬＥＤ光源のプラス端子と導通している。
【００２５】
図２，４，５に示すように駆動ユニット１５０は、カバーベース１５１、加飾リング１５２、弾性部材１５３及びベアリング１５４、固定接触子１５５及びアクチュエータ１５６を含んで構成されている。図２，４に示すようにカバーベース１５１は、樹脂により円環板状に形成されている。カバーベース１５１は、表示ケース１１０内のうち表示パネル１２０の前方且つ可動歯車１４２の背後に、即ちそれら要素１２０，１４２の間に収容されている。ベース１５１は、表示ケース１１０により保持されている。カバーベース１５１は、円形表示部１２１ａを前方の視認者から視認可能に、内周側に露出させている。
【００２６】
加飾リング１５２は、不透光性の樹脂により円環板状に形成されている。加飾リング１５２は、表示ケース１１０内のうち可動歯車１４２の前方から外周側に跨って、収容されている。加飾リング１５２は、カバーベース１５１に装着されることで、当該ベース１５１を介して表示ケース１１０により保持されている。加飾リング１５２は、導通ターミナル１４５の設けられた可動歯車１４２と、カバーベース１５１とを、前方の視認者からは実質視認不能に前方及び外周側から覆っている。一方で加飾リング１５２は、円形表示部１２１ａを前方の視認者から視認可能に、内周側に露出させている。加飾リング１５２は、前方に向かって突出する略断面Ｕ字状をもって円周方向に連続することで、かかる露出状態の円形表示部１２１ａを図１の如く立体的に加飾している。
【００２７】
図４に示すように複数の弾性部材１５３は、それぞれ樹脂により湾曲板状に形成されている。各弾性部材１５３は、表示ケース１１０内のうち可動歯車１４２の前方から外周側に跨って、収容されている。各弾性部材１５３は、円形表示部１２１ａの円周方向において等間隔に並んでいる。各弾性部材１５３は、加飾リング１５２により前方及び外周側から覆われることで、前方の視認者からは実質視認不能となっている。各弾性部材１５３は、カバーベース１５１に装着されることで、当該ベース１５１を介して表示ケース１１０により保持されている。かかる保持状態下にて各弾性部材１５３は、前方に向かって湾曲する略断面Ｕ字状を呈することで、弾性変形可能となっている。
【００２８】
複数のベアリング１５４は、円形表示部１２１ａの外周縁に沿って配置され、同表示部１２１ａの円周方向に等間隔に並んでいる。各ベアリング１５４は、表示ケース１１０内のうち可動歯車１４２の前方に、収容されている。各ベアリング１５４は、加飾リング１５２により前方及び外周側から覆われることで、前方の視認者からは実質視認不能となっている。金属製の各ベアリング１５４は、全体として円板状に形成され、それぞれ対応する弾性部材１５３により内輪を支持されている。それと共に各ベアリング１５４は、ガイドレール１４２ａに外輪を嵌入させている。こうした構成下、各弾性部材１５３の復原力が各ベアリング１５４を介して可動歯車１４２及び回転指針１４１に作用することで、それら歯車１４２及び指針１４１がベース１５１に対し押圧されて円形表示部１２１ａとの同心状態を維持可能となっている。
【００２９】
図２，４に示すように複数の固定接触子１５５は、金属により円環板状に形成されている。各固定接触子１５５は、表示ケース１１０内のうちそれぞれ対応する導通ターミナル１４５の背後に重畳する箇所に、収容されている。各固定接触子１５５は、円形表示部１２１ａの径方向に等間隔に並んでいる。各固定接触子１５５は、カバーベース１５１に装着されることで、当該ベース１５１を介して表示ケース１１０により保持されている。これにより各固定接触子１５５は、表示パネル１２０に対し位置固定されている。各固定接触子１５５は、それぞれ対応する導通ターミナル１４５と摺接することで、当該対応ターミナル１４５と導通可能となっている。
【００３０】
図２，５に示すようにアクチュエータ１５６は、駆動源１５７及び一対の駆動歯車１５８，１５９を有している。駆動源１５７は、本実施形態ではステッピングモータであり、駆動軸１５７ａを有している。駆動源１５７は、表示ケース１１０内のうち可動歯車１４２の外周側、特に本実施形態では可動歯車１４２の下側に収容され、同ケース１１０により保持されている。各駆動歯車１５８，１５９は、金属により平歯車状に形成されている。各駆動歯車１５８，１５９は、歯底円の外周側に歯先円を有する外歯車部１５８ａ，１５９ａを、それぞれ形成している。各駆動歯車１５８，１５９は、表示ケース１１０内のうち可動歯車１４２と駆動源１５７との間に、収容されている。
【００３１】
ここで第一駆動歯車１５８は、駆動軸１５７ａに対し一体回転可能に連結されている。第二駆動歯車１５９は、表示ケース１１０により回転可能に支持されている。第二駆動歯車１５９の外歯車部１５９ａは、第一駆動歯車１５８の外歯車部１５８ａと可動歯車１４２の外歯車部１４８とに、噛合により歯車連繋している。こうした構成下、通電された駆動源１５７により駆動軸１５７ａへ回転トルクが与えられると、各駆動歯車１５８，１５９がそれぞれ自転することで、回転指針１４１が可動歯車１４２と一体に回転駆動されることとなる。
【００３２】
図２に示す制御ユニット１７０は、マイクロコンピュータを主体に構成されている。制御ユニット１７０は、表示ケース１１０の内部又は外部に配置されている。制御ユニット１７０は、各固定接触子１５５と表示パネル１２０と駆動源１５７とに対し、電気接続により導通している。これにより制御ユニット１７０は、固定接触子１５５及び導通ターミナル１４５を介して導通した各指針光源部１４３への通電調整を随時実行することで、それら光源部１４３による回転指針１４１の発光状態を制御する。それと共に制御ユニット１７０は、導通した表示パネル１２０への通電指令を随時出力することで、当該パネル１２０における画像１２２ａ，１２３ａ等の各種カラー画像の表示状態を制御する。さらに制御ユニット１７０は、導通した駆動源１５７への通電指令を随時出力することで、アクチュエータ１５６による回転指針１４１の回転駆動状態を制御する。ここで円形表示部１２１ａ側では、回転指針１４１の回転駆動を制御するために、車速情報が制御ユニット１７０へと入力されるようになっている。
【００３３】
以下、制御ユニット１７０による円形表示部１２１ａ側での表示制御について、詳細に説明する。
【００３４】
制御ユニット１７０は、図，３，８に示すように、円形表示部１２１ａ側にて回転指針１４１の発光色と組み合わせる背景画像１２３ａの表示色を、回転指針１４１の回転位置に応じて可変制御する。
【００３５】
具体的に制御ユニット１７０は、背景画像１２３ａにおいて透明又は半透明な回転指針１４１の背後に重畳する重畳部分１２３ｓにつき、その表示色（例えば、図８における右上がりの斜めハッチング部分を参照）を、重畳部分１２３ｓ以外となる通常部分１２３ｎの表示色（例えば、図８におけるクロスハッチング部分を参照）とは異ならせる。ここで、特に本実施形態の背景画像１２３ａでは、表示色が例えば黒色等に制御される通常部分１２３ｎに対し、重畳部分１２３ｓの表示色が例えば赤色等に制御される。それと共に背景画像１２３ａでは、重畳部分１２３ｓとして表示色の制御される箇所が、回転指針１４１の回転位置に応じて変化させられる。
【００３６】
また、このとき制御ユニット１７０は、回転指針１４１の発光色（例えば、図３におけるドットハッチング部分を参照）を重畳部分１２３ｓの表示色に対しても、通常部分１２３ｎに対しても異ならせる。ここで本実施形態の回転指針１４１では、各光源部１４３の点灯による発光色が全て同一色、例えば青色等に制御される。以上の制御により、回転指針１４１の発光色と重畳部分１２３ｓの表示色とが回転指針１４１のいずれの回転位置でも混合することで、前方の視認者からは例えば紫色等に視認されることとなる。
【００３７】
尚、円形表示部１２１ｂ側での表示制御については、こうした円形表示部１２１ａ側での表示制御に準じて実行される。
【００３８】
（作用効果）
以上説明した第一実施形態の作用効果を、以下に説明する。
【００３９】
第一実施形態によると、表示パネル１２０における指標画像１２２ａ，１２２ｂ及び背景画像１２３ａ，１２３ｂの表示状態と、指針光源部１４３による回転指針１４１の発光状態と、駆動ユニット１５０による回転指針１４１の回転駆動状態とが、制御ユニット１７０により制御される。このとき特に、回転指針１４１の発光色と組み合わされる背景画像１２３ａ，１２３ｂの表示色は、回転指針１４１の回転位置に応じて可変制御される。これによれば、背景画像１２３ａ，１２３ｂの表示色と回転指針１４１の発光色との組み合わせ状態は、回転指針１４１の回転位置に応じて変化し得る。故に、回転指針１４１に対する注視性につき、指針光源部１４３の点灯状態だけでなく、そうした組み合わせ状態に依拠して向上させることができる。
【００４０】
さらに第一実施形態によると、背景画像１２３ａ，１２３ｂにおいて透明又は半透明な回転指針１４１の背後に重畳する重畳部分１２３ｓの表示色は、重畳部分１２３ｓ以外の表示色とは異ならされる。これによれば、重畳部分１２３ｓの表示色が回転指針１４１の発光色と組み合わされた混色状態となるので、表示パネル１２０だけでも指針光源部１４３だけでも現出し得ない当該混色状態により、回転指針１４１に対する注視性の向上効果を高めることができる。
【００４１】
またさらに、第一実施形態の回転指針１４１において指針透過部１４４は、指針光源部１４３から前方複数の凹凸を通して光を透過させることで、当該光を拡散させることとなる。これによれば、回転指針１４１に内蔵の指針光源部１４３を小サイズに収めつつ、回転指針１４１における発光面積を増大させ得る。故に、回転指針１４１の回転駆動性と共に、回転指針１４１に対する注視性の向上効果を高めることができる。
【００４２】
加えて、第一実施形態の駆動ユニット１５０によると、表示パネル１２０に対し位置固定されて制御ユニット１７０と導通の固定接触子１５５は、指針ユニット１４０の可動歯車１４２に設けられた導通ターミナル１４５と摺接により導通する。ここで導通ターミナル１４５は、指針光源部１４３を点灯させるために設けられている。故に制御ユニット１７０は、固定接触子１５５及び導通ターミナル１４５を介して指針光源部１４３と導通することで、回転指針１４１の発光を確実に制御することができる。しかも駆動ユニット１５０によると、制御ユニット１７０と導通のアクチュエータ１５６では、回転指針１４１を支持する可動歯車１４２と連繋した駆動歯車１５８，１５９が自転することで、可動歯車１４２と一体に回転指針１４１が回転駆動される。故に制御ユニット１７０は、回転指針１４１の回転駆動も確実に制御することができる。以上によれば、回転指針１４１の発光状態と回転指針１４１の回転駆動状態とを制御ユニット１７０の制御により実現する構成につき、表示パネル１２０の前方にて比較的小型に且つ汎用の表示パネル１２０を用いて低コストに構築可能となる。
【００４３】
（第二実施形態）
図９，１０に示すように本発明の第二実施形態は、第一実施形態の変形例である。
【００４４】
第二実施形態において制御ユニット１７０は、円形表示部１２１ａ側の背景画像２１２３ａにおいて回転指針１４１の背後に重畳する重畳部分１２３ｓの表示色（例えば、図９における右上がりの斜めハッチング部分を参照）に対し、当該重畳部分１２３ｓと隣接した隣接部分２１２３ｃの表示色（例えば、図９における左上がりの斜めハッチング部分を参照）を、異ならせる。このとき制御ユニット１７０は、隣接部分２１２３ｃの表示色を、背景画像２１２３ａにおいて重畳部分１２３ｓ及び隣接部分２１２３ｃを除いた部分となる通常部分１２３ｎの表示色（例えば、図９におけるクロスハッチング部分を参照）に対しても、異ならせる。
【００４５】
ここで、特に第二実施形態の背景画像２１２３ａでは、図９に示すように、重畳部分１２３ｓの円周方向両側にそれぞれ隣接する一対の隣接部分２１２３ｃにつき、それぞれの表示色が当該重畳部分１２３ｓ及び通常部分１２３ｎとは異ならされる。それと共に背景画像２１２３ａでは、各隣接部分２１２３ｃ及び重畳部分１２３ｓとしてそれぞれ表示色の制御される箇所が、回転指針１４１の回転位置に応じて変化させられる。さらに背景画像２１２３ａでは、表示色が例えば黒色等に制御される通常部分１２３ｎと、表示色が例えば赤色等に制御される重畳部分１２３ｓとに対し、各隣接部分２１２３ｃの表示色が例えば紫色等に制御される。その結果、第一実施形態と同様に回転指針１４１の発光色（例えば、図１０におけるドットハッチング部分を参照）と重畳部分１２３ｓの表示色とが混合して例えば紫色等の混合色に視認される場合、当該混合色と同系色で且つ当該混合色よりも色調の淡い表示色が各隣接部分２１２３ｃに与えられることとなる。
【００４６】
尚、円形表示部１２１ｂ側での表示制御については、こうした円形表示部１２１ａ側での表示制御に準じて実行される。
【００４７】
このように第二実施形態によると、背景画像２１２３ａにおいて透明又は半透明な回転指針１４１の背後に重畳する重畳部分１２３ｓに対し円周方向に隣接する各隣接部分２１２３ｃは、それら重畳部分１２３ｓ及び各隣接部分２１２３ｃを除いた通常部分１２３ｎに対し、表示色を異ならされる。これにより各隣接部分２１２３ｃの表示色は、通常部分１２３ｎの表示色に対してコントラストの与えられた状態下、回転指針１４１の発光色と隣接した状態に、組み合わされることとなる。ここで特に、第一実施形態と同様の特徴も備えた第二実施形態にて各隣接部分２１２３ｃの表示色は、通常部分１２３ｎの表示色に対してコントラストの与えられた状態下、重畳部分１２３ｓの表示色と混合した回転指針１４１の発光色と隣接した状態に、組み合わされることとなる。したがって、こうした組み合わせによれば、回転指針１４１に対する注視性の向上効果を高めることができる。
【００４８】
（第三実施形態）
図１１，１２に示すように本発明の第三実施形態は、第一実施形態の変形例である。
【００４９】
第三実施形態において制御ユニット１７０は、円形表示部１２１ａ側の背景画像３１２３ａにおいて回転指針１４１の背後に重畳する重畳部分３１２３ｓの表示色（例えば、図１１において通常部分１２３ｎよりも狭幅のクロスハッチング部分を参照）を、通常部分１２３ｎと実質同一となる例えば黒色等の暗色に制御する。尚、第三実施形態の背景画像３１２３ａにおいても、重畳部分３１２３ｓとして表示色の制御される箇所が、回転指針１４１の回転位置に応じて変化させられる。
【００５０】
こうした制御により重畳部分３１２３ｓは、各指針光源部１４３からの光を照射される結果、当該光により照明される。このとき、背景画像３１２３ａの通常部分１２３ｎにおいて重畳部分３１２３ｓを囲む周辺部分３１２３ｍ（例えば、図１２において回転指針１４１の発光部分よりも荒いドットハッチング部分を参照）には、各指針光源部１４３からの照射光が木漏れ日状に漏出することで、当該漏出光が前方の視認者から視認可能となる。これによれば、周辺部分３１２３ｍの照明色が回転指針１４１の発光色と隣接して組み合わされることで、回転指針１４１に対するアンビエント表示が実現され得る。故に、回転指針１４１に対する注視性の向上効果を高めることができる。
【００５１】
（他の実施形態）
以上、本発明の複数の実施形態について説明したが、本発明は、それらの実施形態に限定して解釈されるものではなく、本発明の要旨を逸脱しない範囲内において種々の実施形態及び組み合わせに適用することができる。
【００５２】
具体的に、第一〜第三実施形態に関する変形例１としては、指針透過部１４４が光の拡散機能を有していなくてもよい。第一〜第三実施形態に関する変形例２としては、可動歯車１４２とアクチュエータ１５６とを組み合わせた減速機構以外の各種機構により、回転指針１４１が回転駆動されてもよい。
【００５３】
第二実施形態に関する変形例３としては、重畳部分１２３ｓに対する円周方向の片側、即ち回転指針１４１の回転側又はその逆側のみに、隣接部分２１２３ｃが隣接して表示されていてもよい。第二実施形態に関する変形例４としては、第三実施形態に準じて重畳部分１２３ｓが、通常部分１２３ｎと実質同一となる例えば黒色等の暗色に表示色を制御されて、各指針光源部１４３からの光により照明されてもよい。
【００５４】
第一〜第三実施形態に関する変形例５として回転指針１４１は、各指針光源部１４３からの光を前方へは透過させる限りにて、背後の表示パネル１２０側へは当該光の一部又は全てを遮光可能な不透光性を与えられていてもよい。第二実施形態に関する変形例６としては、変形例５等の構成変更を受けて各指針光源部１４３からの光では実質照明されない又は照明の弱い重畳部分１２３ｓの表示色が、第三実施形態に準じて通常部分１２３ｎと実質同一となる例えば黒色等の暗色に制御されて、回転指針１４１の発光色と実質的に組み合わされていなくてもよい。但し、かかる変形例６の場合は、隣接部分２１２３ｃの表示色と回転指針１４１の発光色との組み合わせが実現される。第三実施形態に関する変形例７としては、変形例５等の構成変更を受けて各指針光源部１４３からの光では実質照明されない又は照明の弱い重畳部分１２３ｓの表示色が、回転指針１４１の発光色と実質的に組み合わされていなくてもよい。
【符号の説明】
【００５５】
１００  車両用表示装置、１２０  表示パネル、１２２ａ，１２２ｂ  指標画像、１２３ａ，１２３ｂ，２１２３ａ，３１２３ａ  背景画像、１２３ｎ  通常部分、１２３ｓ，３１２３ｓ  重畳部分、１２４ａ，１２４ｂ  数字指標、１２５ａ，１２５ｂ  目盛指標、１４０  指針ユニット、１４１  回転指針、１４２  可動歯車、１４３  指針光源部、１４４  指針透過部、１４５  導通ターミナル、１４５ａ  第一導通ターミナル、１４５ｂ  第二導通ターミナル、１４５ｃ  第三導通ターミナル、１４５ｄ  第四導通ターミナル、１５０  駆動ユニット、１５５  固定接触子、１５６  アクチュエータ、１５８  第一駆動歯車、１５９  第二駆動歯車、１７０  制御ユニット、２１２３ｃ  隣接部分、３１２３ｍ  周辺部分
【図１】
2018009900.tif 000003
【図２】
2018009900.tif 000004
【図３】
2018009900.tif 000005
【図４】
2018009900.tif 000006
【図５】
2018009900.tif 000007
【図６】
2018009900.tif 000008
【図７】
2018009900.tif 000009
【図８】
2018009900.tif 000010
【図９】
2018009900.tif 000011
【図１０】
2018009900.tif 000012
【図１１】
2018009900.tif 000013
【図１２】
2018009900.tif 000014